(57)【要約】【課題】欠陥の形状や発生位置により特定の光学条件のみでしか画像できない異方性欠陥（例えばフィルムキズや不織布の束欠陥）を検出する。【解決手段】シート欠陥検査装置は、シートに照明光を照射する照明手段と、上記照明手段から照射された照明光が上記シートで反射または透過した光を撮像する撮像手段と、上記シート、上記撮像手段に備えられた撮像装置、および上記照明手段に備えられた照射装置のいずれか１つ以上に接続され、上記撮像手段で撮像する撮像領域は同じままで、上記シートに対する上記照射装置および上記撮像装置の相対的な位置関係を切り替える可動手段と、上記可動手段により切り替えられた複数の上記位置関係のそれぞれで上記撮像手段により撮像された画像データを処理して、複数の画像データのそれぞれに対応した輝度に関する特徴量である輝度特徴量データを得る画像処理手段と、上記輝度特徴量から、上記撮像領域に欠陥が含まれるか否かを判別する欠陥判定手段と、を備える。【選択図】図１
2020106295.tif 000002
【特許請求の範囲】
【請求項１】
シートに照明光を照射する照明手段と、
前記照明手段から照射された照明光が前記シートで反射または透過した光を撮像する撮像手段と、
前記シート、前記撮像手段に備えられた撮像装置、および前記照明手段に備えられた照射装置のいずれか１つ以上に接続され、前記撮像手段で撮像する撮像領域は同じままで、前記シートに対する前記照射装置および前記撮像装置の相対的な位置関係を切り替える可動手段と、
前記可動手段により切り替えられた複数の前記位置関係のそれぞれで前記撮像手段により撮像された画像データを処理して、複数の画像データのそれぞれに対応した輝度に関する特徴量である輝度特徴量データを得る画像処理手段と、
前記輝度特徴量データから、前記撮像領域に欠陥が含まれるか否かを判別する欠陥判定手段と、を備えた、シート欠陥検査装置。
【請求項２】
前記撮像領域が、別のシート欠陥検査装置によって得られた前記シート上に存在する欠陥の座標データを参照して決定される、請求項１のシート欠陥検査装置。
【請求項３】
前記可動手段が、前記各位置関係で停止せずに動作を続ける、請求項１または２のシート欠陥検査装置。
【請求項４】
前記可動手段が、前記撮像領域から前記シートの表面に垂直な方向に延びる回転軸を中心として、前記撮像手段と前記照明手段とを同じ回転方向に同じ回転角度だけ回転させる、請求項１〜３のいずれかのシート欠陥検査装置。
【請求項５】
前記照明手段の照射方向と前記回転軸とのなす角度（鋭角）である入射角度と、前記撮像手段の撮像方向と前記回転軸とのなす角度（鋭角）である撮像角度とが等しい、請求項４のシート欠陥検査装置。
【請求項６】
前記可動手段が、４軸以上の自由度を有した垂直多関節ロボットである、請求項１〜５のいずれかのシート欠陥検査装置。
【請求項７】
前記欠陥判定手段が、複数の前記輝度特徴量データＬ１・・・Ｌｎ（ｎは３以上の整数）の中に以下の条件（イ）および条件（ロ）を満たす輝度特徴量Ｌｋが存在する場合に、その輝度特徴量Ｌｋに対応する画像データＩｋに欠陥が含まれると判定する、請求項１〜６のいずれかのシート欠陥検査装置。
条件（イ）：前記輝度特徴量データＬ１・・・Ｌｎの中に、輝度特徴量Ｌｋとの大きさの差（絶対値）が所定の閾値よりも大きい他の輝度特徴量データが存在する。
条件（ロ）：条件（イ）を満たす他の輝度特徴量データの数が所定の数よりも多い。
【請求項８】
前記可動手段が、前記複数の画像データのいずれかに欠陥が含まれていた場合に、その欠陥が含まれる画像データを撮像した時の前記位置関係を基準として、新たな複数の位置関係で動作をする、請求項１〜７のいずれかのシート欠陥検査装置。
【請求項９】
前記可動手段が、前記複数の画像データのいずれにも欠陥が含まれていない場合に、前記複数の位置関係とは異なる新たな複数の位置関係で動作をする、請求項１〜８のいずれかのシート欠陥検査装置。
【請求項１０】
検査対象であるシートが透明あるいは半透明物であり、線状の凹または凸が一定長さでシート表面に露出した欠陥が存在するか否かを検査する、請求項１〜９のいずれかのシート欠陥検査装置。
【請求項１１】
検査対象であるシートが、短繊維から構成された不織布、または短繊維と樹脂から構成された不織布であり、凝集した短繊維がその繊維配向を一方向に揃えて束状となりシート表面に露出している欠陥が存在するか否かを検査する、請求項１〜９のいずれかのシート欠陥検査装置。
【発明の詳細な説明】
【技術分野】
【０００１】
本発明は、樹脂製フィルムや短繊維の集合からなる不織布等のシート状物等の外観欠陥を光学的手法で自動的に検査する方法に関する。
【背景技術】
【０００２】
ディスプレイ・磁気記録材料等に用いられるフィルムや、フィルタ・電極用基材等に用いられる不織布などのシート状製品では、最終製品の性能・特性を保証するための品質要求の一つとして、シート表面に存在する欠陥や異物の管理が挙げられる。これらは適用される最終製品の高性能化・精密化に伴いより高精度な管理を求められており、現在では数〜数十ミクロンの微小な欠陥・異物の検出が必要となっている。
【０００３】
シート状製品の製造ラインにおいては、上記のような品質維持・向上および生産工程管理のために、シート表面に存在する欠陥や異物の検査が行われおり、各工程で欠陥や異物が発生していないかを確認して製品品質を維持・向上することは重要である。
このような状況のもとで、次のようなシート状製品の製造工程中における微細な欠陥の検査技術が知られている。
【０００４】
例えば、特許文献１では、連続的に走行するシート状物の外観欠陥を光学的手法で自動的に検査し、特徴が異なる複数種類の欠陥を定量的かつ精度よく検出する技術が開示されている。
【０００５】
通常のシート状製品の欠陥検査には、特許文献１のように、欠陥部を含む被検査物に光を照射する照明と、照射した光を受けた被検査物が反射または透過する光を受光する撮像装置を、被検査物に対し固定配置して、欠陥部における光の反射または透過の特性の変化を検知することで欠陥の有無を判定する光学的手法が用いられる。
【０００６】
しかしながら、フィルムや不織布などのシート状製品の欠陥の中には、欠陥の形状に対し特定の光学条件でしか可視化できないものが存在する。例えば、樹脂製のフィルムにおける線状の凹凸を持つキズや、不織布における凝集した短繊維がその繊維配向を一方向に揃えて束状となりシート表面に露出している欠陥（以降、便宜的に束欠陥と称する）などは、欠陥部から反射または透過する光の指向性が欠陥に対する光の照射方向によって大きく異なる（異方性がある）ため、欠陥の形状に対して特定の方向から光を照射して特定の方向から反射または透過光を撮像する光学条件でしか欠陥検出が可能な（正常部と欠陥部とでコントラストが得られる）画像が取得できない。
【０００７】
このような光の反射・透過光の指向性が欠陥に対する照明光の入射方向によって異なる欠陥（以降、便宜的に異方性欠陥と称する）の検査技術として、いくつかの技術が開示されている。
【０００８】
例えば、特許文献２には、試料に光を供給する照明光学系と、第１の仰角で配置される第１の検出光学系と、上記第１の仰角よりも高い第２の仰角で配置される第２の検出光学系と、を複数個備え、指向性欠陥によって散乱した光を効率よく捕捉する技術が開示されている。
【０００９】
また、特許文献３には、被検査試料表面に集束したレーザビームを照射し、該被検査試料表面で発生する散乱光を多方向で集光し、集光された該散乱光を光電変換して該被検査試料表面に存在する欠陥を検査する装置において、多方向で検出した検出信号を加算処理して微小欠陥を検出するとともに、多方向で検出した検出信号を個別処理して異方性欠陥を検出する技術が開示されている。
【００１０】
また、特許文献４には、物体に対して異方性の照明と等方性の照明とを行って複数の画像を撮像し、異方性の照明で得られた第１画像と、等方性の照明で得られた第２画像から検査画像を生成し、当該検査画像に基づいて物体の検査のための処理を行うことで、多様な欠陥の検査ができる検査装置が開示されている。
【００１１】
また、特許文献５には、検査対象面の検査区域に対して、検査対象面の方向を固定した上で、異なる方向から照射した光の反射光を受光して表面画像を撮影し、照光方向に応じた画素情報から欠陥を検出する技術が開示されている。
【００１２】
また、特許文献６には、画像センサ、照明光源、ならびに画像センサ、照明光源、および機械部品を互いに対して移動させるための手段を含む機器を用いて、機械部品を非破壊的に検査する自動的方法が開示されている。
【先行技術文献】
【特許文献】
【００１３】
【特許文献１】特許第６１８３８７５号公報
【特許文献２】特開２０１７−１３３８３０号公報
【特許文献３】特許第４３９４７０７号公報
【特許文献４】特開２０１７−６７６３３号公報
【特許文献５】特開２０１３−７５８９号公報
【特許文献６】特表２０１２−５１４１９３号公報
【発明の概要】
【発明が解決しようとする課題】
【００１４】
異方性欠陥を可視化するためには、１つの検査領域に対してあらゆる方向から光を照射し、かつあらゆる方向から撮像をするような多数の光学条件での撮像を行い、光学条件の異なる複数の取得画像から欠陥の有無を判定する必要があり、特許文献１に記載のような照射装置や撮像装置が固定配置されている検査技術では、上記のような異方性欠陥を見逃す可能性がある。
【００１５】
特許文献２、３に記載の技術では、複数の条件で検出光学系を固定配置し、多方向で検出した散乱光の検出信号を加算して微小欠陥の検出を行うとともに、各検出信号を個別に処理することによって、異方性欠陥の見逃しを回避することが可能となる。しかしながら、照明光の照射方向は一方向であり、複数の角度条件で設置した検出光学系も固定配置であるため、光学条件には一定の制限が生じてしまい、異方性欠陥の発生方向と照明・検出光学系の位置関係によっては、正常部と欠陥部とでコントラストが得られる画像を取得できない場合がある。
【００１６】
特許文献４、５に記載の技術によれば、１台の照明装置の発光点を制御し、１つの検査領域に対する光の照射方向を切り替えて得られる複数の撮像画像について、照射方向に応じた画像の情報から欠陥を検出することが可能である。しかしながら、撮像方向は被検査物に対して固定であり、前述の公知技術と同様に、光学条件には一定の制限が生じてしまうので、異方性欠陥の発生方向と照明・撮像装置の位置関係によっては、正常部と欠陥部とでコントラストが得られる画像を取得できない場合がある。
【００１７】
特許文献６に記載の技術によれば、３次元計測手段によって得られた被検査物の形状に基づき、画像センサ、照明光源、および被検査物を互いに対して移動させて、被検査物の表面形状の変化に追従して画像を取得するための動作経路を決定することができるが、異方性欠陥の検出に対して光学条件を変化させて欠陥検出に最適な画像を得るものではない。
【００１８】
そこで、本発明は、シート状製品の欠陥検査において、従来技術では検出が困難であった異方性欠陥も検出可能とするために、被検査物の検査領域に対する照射装置および撮像装置の相対的な位置関係を切り替えながら多数の光学条件で撮像を行い、光学条件の異なる複数の撮像画像から画像処理を利用して、検査領域に欠陥が含まれるか否かを自動検査できる検査装置を提供する。
【課題を解決するための手段】
【００１９】
上記目的を達成するため、本発明のシート欠陥検査装置は、
シートに照明光を照射する照明手段と、上記照明手段から照射された照明光が上記シートで反射または透過した光を撮像する撮像手段と、
上記シート、上記撮像手段に備えられた撮像装置、および上記照明手段に備えられた照射装置のいずれか１つ以上に接続され、上記撮像手段で撮像する領域は同じままで、上記シートに対する上記照射装置および上記撮像装置の相対的な位置関係を切り替える可動手段と、
上記可動手段により切り替えられた複数の上記位置関係のそれぞれで上記撮像手段により撮像された画像データを処理して、複数の画像データのそれぞれに対応した輝度に関する特徴量である輝度特徴量データを得る画像処理手段と、
上記輝度特徴量データから、上記撮像領域に欠陥が含まれるか否かを判別する欠陥判定手段と、を備えている。
【００２０】
なお、ここで記載している「輝度」とは画像上の画素階調値のことであり、明細書や請求項において特に断りのない限り同様の意味合いで「輝度」と記載する。
【００２１】
本発明のシート欠陥検査装置は、下記の（１）から（８）のいずれかの構成を有すると好適である。
（１）上記撮像領域が、別のシート欠陥検査装置によって得られた上記シート上に存在する欠陥の座標データを参照して決定される。
（２）上記可動手段が、上記各位置関係で停止せずに動作を続ける。
（３）上記可動手段が、上記撮像領域から上記シートの表面に垂直な方向に延びる回転軸を中心として、上記撮像手段と上記照明手段とを同じ回転方向に同じ回転角度だけ回転させる。
（４）上記（３）に加えて、上記照明手段の照射方向と上記回転軸とのなす角度（鋭角）である入射角度と、上記撮像手段の撮像方向と上記回転軸とのなす角度（鋭角）である撮像角度とが等しい。
（５）上記可動手段が、４軸以上の自由度を有した垂直多関節ロボットである。
（６）上記欠陥判定手段が、複数の上記輝度特徴量データＬ１・・・Ｌｎ（ｎは３以上の整数）の中に以下の条件（イ）および条件（ロ）を満たす輝度特徴量Ｌｋが存在する場合に、その輝度特徴量Ｌｋに対応する画像データＩｋに欠陥が含まれると判定する。
条件（イ）：上記輝度特徴量データＬ１・・・Ｌｎの中に、輝度特徴量Ｌｋとの大きさの差（絶対値）が所定の閾値よりも大きい他の輝度特徴量データが存在する。
条件（ロ）：条件（イ）を満たす他の輝度特徴量データの数が所定の数よりも多い。
（７）上記可動手段が、上記複数の画像データのいずれかに欠陥が含まれていた場合に、その欠陥が含まれる画像データを撮像した時の上記位置関係を基準として、新たな複数の位置関係で動作をする。
（８）上記可動手段が、上記複数の画像データのいずれにも欠陥が含まれていない場合に、上記複数の位置関係とは異なる新たな複数の位置関係で動作をする。
【００２２】
本発明のシート欠陥検査装置は、検査対象であるシートが透明あるいは半透明物であり、線状の凹または凸が一定長さでシート表面に露出した欠陥が存在するか否かを検査する場合に好適である。
【００２３】
また、本発明のシート欠陥検査装置は、検査対象であるシートが短繊維から構成された不織布、または短繊維と樹脂から構成された不織布であり、凝集した短繊維がその繊維配向を一方向に揃えて束状となりシート表面に露出している欠陥が存在するか否かを検査する場合にも好適である。
【発明の効果】
【００２４】
本発明のシート欠陥検査装置によれば、撮像装置および照射装置のいずれか１つ以上に接続された可動部によって、検査対象であるシートに対する照射装置および撮像装置の相対的な位置関係を切り替えながらシートに照明光を照射し、シートで反射または透過した光を撮像することで得られる複数の画像データを処理して、各画像データに対応した輝度に関する特徴量データをもとに撮像領域に欠陥が含まれるか否かを判別することで、異方性欠陥を含むシート状製品の表面に露出した欠陥の検査を精度よく行うことが可能となる。これにより、シート状製品の品質や生産工程の管理実現や欠陥品見逃しを防止できるという効果が得られる。
【図面の簡単な説明】
【００２５】
【図１】図１は、本発明のシート欠陥検査装置の一例を示す概略図である。
【図２】図２は、本発明のシート欠陥検査装置の可動部の動作経路の一例を示す概略図である。
【図３】図３は、本発明のシート欠陥検査装置の可動部の動作経路パラメータの一例を示す概略図である。
【図４】図４は、本発明のシート欠陥検査装置の画像処理フローの一例を示す図である。
【発明を実施するための形態】
【００２６】
本発明の好ましい実施の形態について、以下のとおり図面を参照しながら説明する。
図１は、本発明の実施形態にかかるシート欠陥検査装置の一例を模式的に示した概略図である。本発明のシート欠陥検査装置１は、被検査物であるシート２に照明光３ａを照射する照明装置３と、シート２からの反射光・散乱光・透過光２ａを撮像する撮像装置４と、撮像装置４が撮像した撮像画像を画像処理して得られる画像の輝度特徴量データからシート２に欠陥（図示しない）が存在するか否かを判定する画像処理装置５と、照明装置３および撮像装置４のそれぞれに接続される可動部６（６’、６’’）と、可動部６の動作制御を行う可動制御部６ａと、で構成されている。
【００２７】
一般的に、製品上の欠陥として扱われるキズや異物・繊維の束欠陥（図示しない）がシート２の表面に存在している場合、その欠陥部に照明光３ａを照射すると、欠陥からの反射光・散乱光・透過光２ａは、シート２の表面に欠陥が存在しない場合の反射光・散乱光・透過光２ａとは異なる挙動となる。具体的には、欠陥が存在する領域と欠陥が存在しない領域とでは、反射光・散乱光・透過光２ａの強度や指向性（拡散具合）、反射方向等が異なり、これら反射光・散乱光・透過光２ａの変化を撮像装置４で撮像し画像化することでシート２に欠陥が存在するか否かを検査することができる。ここで、照明装置３や撮像装置４は必ずしもシート２に対して片側だけに配置する必要はない。例えば、照明装置３と撮像装置４とをシート２を挟んで対向するように配置することで、シート２を透過してきた光を撮像可能となり、シート２に存在するピンホール欠陥なども検出可能となる。また、使用する照明装置３や撮像装置４はそれぞれ１台ずつとは限らない。例えば、シート２の表裏に照明装置３を設置することで、表面に存在するキズや束欠陥とピンホール欠陥を同時に検査可能となる。
【００２８】
検査対象であるシート２は、例えば、シート２の巻出し部と巻取り部を備えた搬送装置７により連続的あるいは間欠的に順次搬送され、搬送装置７のいずれかに設置される可動部６に接続された照明装置３から照明光３ａが照射される。シート２からの反射光・散乱光・透過光２ａは、搬送装置６のいずれかに設置される可動部６に接続されるラインセンサやエリアセンサのような撮像装置４により撮像される。このとき、ある撮像領域８における照明装置３と撮像装置４のシート２に対する相対的な位置関係Ｐは、可動制御部６ａで制御される可動部６により決定する。この位置関係Ｐは可動制御部６ａにて任意に設定可能であり、可動部６を制御して照明装置３と撮像装置４のそれぞれの位置を切り替えていくことで、一つの撮像領域８に対して複数の位置関係Ｐ１・・・Ｐｎを構築できる。また、構築した位置関係Ｐ１・・・Ｐｎでそれぞれ撮像領域８の画像データＩ１・・・Ｉｎを取得することにより、一つの撮像領域８に対して複数の光学条件による画像の取得が実現できる。画像処理装置５は、撮像装置４で得られた複数の画像データＩ１・・・Ｉｎを処理して輝度特徴量データを取得し、得られた結果からシート２の撮像領域８に欠陥が存在するか否かを判別する。
【００２９】
シート２は、必ずしも搬送状態である必要はなく、一定サイズに切り出されたシートを静止した状態で配置してもよい。またシート２を可動部６に接続し、シート２の位置や角度、照明装置３や撮像装置４との距離などを切り替えることで、撮像領域８における照明装置３と撮像装置４のシート２に対する相対的な位置関係Ｐを構築してもよい。シート２と可動部との接続には、例えばクリッパーや吸着ハンドなどのほかシート２のサイズに合わせた型を可動部６にジョイントする方法などが用いられる。一方、シート２が搬送装置７で連続的に搬送している場合、一つの撮像領域８に対して複数の位置関係Ｐ１・・・Ｐｎで画像データＩ１・・・Ｉｎを取得するには、シート２における撮像領域８が変化しないようするため、シート２の搬送速度に追従して可動部６を制御する必要がある。この場合、可動制御部６ａでは可動部６の位置関係Ｐにシート２自体の搬送に伴う移動量分を加算せねばならず、制御プログラムの構築が複雑になる。また、可動部の移動速度に対してシート２の搬送速度が速すぎる場合に、可動部６で位置関係Ｐ１・・・Ｐｎを構築する以前にシート２が可動部の可動範囲を通過してしまう場合がある。そのため、シート２の搬送と停止を繰り返し行う間欠運転を適用して、搬送停止中に可動部６の可動範囲で撮像可能なシート２の検査エリア９を検査した後、シート２を次の検査エリア９ａまで一定量搬送して停止するのが好適である。
【００３０】
使用する照明装置３、撮像装置４はそのすべてを可動部６に接続する必要はない。例えば、撮像装置４のみを可動部６に接続し、照明装置３は照明光３ａをあらゆる方向から照射できるように複数台配置する、あるいは、照明装置３の発光点を任意に制御できるようなものを用いる、などすれば、可動部６に接続した撮像装置４に位置を切り替えるだけで、一つの撮像領域８に対して複数の光学条件による画像の取得が実現できる。
【００３１】
本発明における検査対象物のシート２および検出対象の欠陥の好適な例としては、（ａ）樹脂製フィルムなどの透明あるいは半透明物であり、線状の凹または凸が一定長さでシート表面に露出した欠陥、（ｂ）短繊維から構成された不織布、または短繊維と樹脂から構成された不織布であり、凝集した短繊維がその繊維配向を一方向に揃えて束状となりシート表面に露出している欠陥（束欠陥）などが挙げられる。（ａ）、（ｂ）に示したような欠陥は、欠陥部から反射または透過する光の指向性が欠陥に対する光の照射方向によって大きく異なる（異方性がある）。
【００３２】
例として樹脂製の透明フィルムに存在するキズ欠陥（線状の凸）について説明する。フィルムはその表面が平滑であるため、欠陥が存在しない正常部の場合には照射した光はフィルム表面で正反射する。この正反射光を撮像可能な位置に撮像装置を配置した状態で、キズ欠陥が存在するフィルムを撮像すると、光を照射する方向に対してキズ欠陥の線方向が直交していればキズ欠陥の凸部分で光が散乱するため、撮像装置で受光できるキズ欠陥部分からの反射光は正常部からの反射光に比べて暗くなり、暗欠陥として画像化できる。しかしながら光を照射する方向に対してキズ欠陥の線方向が平行であればキズ欠陥部分での光の散乱が少なくほぼ正反射するため、正常部分と欠陥部分とで画像上の差は見えなくなる。
【００３３】
このような光の反射・透過光の指向性が欠陥に対する照明光の入射方向によって異なる欠陥（以降、便宜的に異方性欠陥と称する）は、欠陥の形状に対して特定の方向から光を照射して特定の方向から反射または透過光を撮像する光学条件でしか欠陥検出が可能な画像が取得できない。この異方性欠陥を可視化するためには、１つの検査領域に対してあらゆる方向から光を照射し、かつあらゆる方向から撮像をするような多数の光学条件での撮像を行い、光学条件の異なる複数の取得画像から欠陥の有無を判定する必要がある。これに対し、本発明のように照射装置３や撮像装置４を可動部と接続し、照明装置３と撮像装置４のシート２に対する相対的な位置関係Ｐを切り替えて、一つの撮像領域８に対して複数の位置関係Ｐ１・・・Ｐｎで画像データＩ１・・・Ｉｎを取得することにより、複数の光学条件による画像取得を実現する方法は好適である。
【００３４】
照射装置３は、シート２の欠陥部を画像上で可視化できるようにするため、シート２に照明光３ａを照射する。照射装置３の種類・形態はシート２表面を照射可能であれば限定しないが、より広範囲にかつ均一に照明光３ａを照射できることものが好適である。照射する照明光３ａの波長についても特に限定しないが、一般的な撮像装置４のセンサの受光波長の領域が可視光である場合が多いことから、照明光３ａの波長も可視光域を含んでいることが好適である。また、各撮像毎の再現性を得るために、照明光３ａの照度は一定の値にしておくことが好ましい。撮像装置４は、受光素子群を備えており、シート２からの反射光・散乱光・透過光２ａを受光し、シート２の撮像を行う。撮像装置４が備える受光素子群は、例えば、モノクロカメラのように単一の受光感度を有する受光素子からなるものを用いてもよいし、カラーカメラのように受光感度の異なる複数の受光素子からなるものを用いてもよい。
【００３５】
撮像領域８は検査エリア９に含まれる撮像装置４で撮像する領域であり、検査エリア９のすべてを撮像するように撮像領域８を少しずつずらしながら、それぞれの撮像領域８で複数の位置関係Ｐ１・・・Ｐｎで画像データを取得してもよいが、本発明に係るシート欠陥検査装置とは別のシート検査装置Ｂを設置している場合、このシート検査装置Ｂで検出した欠陥候補の位置を撮像領域８として、本発明のシート検査装置で検査することもできる。例えば上流に設置したシート検査装置Ｂが検出すべき欠陥部に加えて、欠陥が存在しない正常な領域も欠陥として検出（いわゆる過検出）しているような場合に、通常は人がシート検査装置Ｂで欠陥が存在すると判定されたシート上の領域をもう一度目視で確認し、本当に検出すべき欠陥が存在するか再判定するが、本発明のシート欠陥検査装置を用いて、シート検査装置Ｂで検出した欠陥候補の位置を撮像領域８としてより鮮明に画像化し詳細に検査することで、人による目視再判定をなくすことができる。
【００３６】
可動部６は、撮像領域８および撮像領域８における照明装置３と撮像装置４のシート２に対する相対的な位置関係Ｐ、すなわち撮像領域８を撮像するときの光学条件を決定する。この位置関係Ｐは、可動部６に接続される可動制御部６ａにて任意に決定することができる。可動部６は各位置関係Ｐ１・・・ＰＮにおいて必ずしも停止する必要はない。例えば、検査領域８の撮像を継続しながら、図２の破線で示す動作経路１０に沿ってシート２に対する照明装置３と撮像装置４との位置関係Ｐ１、Ｐ２、・・・Ｐｎを、停止を伴わず連続的に切り替えてもよい。このように可動部が位置関係Ｐを順次変えながら、動画的に画像を撮像することで、より多数の光学条件における撮像領域Ｐの画像が取得できる。
【００３７】
撮像領域８に対しての照明装置３と撮像装置４との位置関係Ｐ１、Ｐ２、・・・Ｐｎを構築するための可動部６の動作経路９は、そのすべてを可動制御部６ａであらかじめ設定（ティーチング）しておいてもよいし、位置関係Ｐ１、Ｐ２、・・・Ｐｎを構築するためのパラメータとして、例えば次の（Ａ）、（Ｂ）、（Ｃ）などを検査対象のシート２の種類や品種、あるいは毎回の検査ごとに設定して動作経路９を決定してもよい（図３参照）。
（Ａ）撮像領域８と照明装置３や撮像装置４との距離Ｌ１、Ｌ２
（Ｂ）シート２の表面に垂直な方向に延びる回転軸１１を中心とする回転方向１２に照明装置３と撮像装置４とを何度ずつ回転させるか。
（Ｃ）照明装置３の照射方向と回転軸１１とのなす角度（鋭角）である入射角度θ１と、撮像装置４の撮像方向と回転軸１１とのなす角度（鋭角）である撮像角度θ２を何度ずつ変えるか。
【００３８】
特に異方性欠点の検出に対する位置関係Ｐ１・・・Ｐｎの決定の好ましい例としては、前述（Ｂ）の角度を照明装置３と撮像装置４とで同じ回転方向１２に同じ回転角度だけ回転させながら、撮像領域８の画像を取得することであり、より好ましくは前述（Ｂ）の角度を照明装置３と撮像装置４とで同じ回転方向１２に同じ回転角度だけ１０〜１５°ずつ変えていきながら撮像領域８の画像を取得することである。また、検査対象であるシート２の代表的な製品であるフィルムの表面キズ欠陥や不織布シートの束欠陥の検出に対する位置関係Ｐ１・・・Ｐｎの決定の好ましい例としては、前述した異方性欠点の検出に対する位置関係Ｐ１・・・Ｐｎの決定の好ましい例における（Ｂ）動作に加え、前述した（Ｃ）のθ１とθ２を等しくすることが好適である。
【００３９】
可動部６には例えばロボットを用いることができ、直交座標型、極座標型、円筒座標型垂直多関節型など適用可能であるが、動きの自由度が高く広い可動範囲を確保できる４軸以上の垂直多関節ロボットを用いることが好適である。また、複数のロボットやアクチュエータなどを組み合わせで１つの可動部６を構成してもよい。
【００４０】
可動部６は、定められた位置関係Ｐ１・・・Ｐｎとなるように照明装置３や撮像装置４を動かすが、必ずしも位置関係Ｐ１・・・Ｐｎの動作経路での撮像のみだけを行うのではない。例えば、位置関係Ｐ１・・・Ｐｎのそれぞれで撮像した撮像領域８の画像データ群Ｉ１・・・Ｉｎの画像処理装置５での判定結果（後述）により位置関係Ｐ１・・・Ｐｎとは異なる新たな位置関係Ｐ＋を構築する動作経路を設定してもよい。この時、位置関係Ｐ１・・・Ｐｎのそれぞれで撮像した撮像領域８の画像データ群Ｉ１・・・Ｉｎに欠陥が含まれる画像データＩｚが存在した場合、欠陥をより鮮明に画像化し欠陥のサイズや形状・濃度などの特徴をより正確に計測できるようにするための例として、画像データＩｚを撮像した位置関係Ｐｚを新たな位置関係Ｐ＋を構築するときの基準位置とするのが好適である。また、位置関係Ｐ１・・・Ｐｎのそれぞれで撮像した撮像領域８の画像データ群Ｉ１・・・Ｉｎに欠陥が含まれていなかった場合でも、撮像領域８に本当に欠陥がないかを再チェックするなどの目的で、位置関係Ｐ１・・・Ｐｎとは異なる新たな位置関係Ｐ＋＋を構築して同じ撮像領域８を別の光学条件で画像を取得してもよい。
【００４１】
画像処理装置５は、撮像領域８に対して可動部６で構築した複数の位置関係Ｐ１・・・Ｐｎのそれぞれで取得した画像データ群Ｉ１・・・Ｉｎを処理して輝度特徴量データを取得し、得られた結果からシート２の撮像領域８に欠陥が存在するか否かを判別する。画像処理装置５は、専用の画像処理ソフトウェアを備えたＰＣ、あるいは画像処理用のハードウェアなどを用いてもよいし、代わって撮像装置４にＣＰＵが備わり撮像と画像処理が一体化して行えるものを用いてもよい。図４に画像処理装置５で行う欠陥検出および判別の画像処理フローの一例を示す。まず、Ｕ１の輝度特徴量算出処理では複数の位置関係Ｐ１・・・Ｐｎのそれぞれで撮像領域８を撮像し取得した画像データ群Ｉ１・・・Ｉｎの対し、画像の輝度データＬ１・・・Ｌｎを算出する処理を実行する。ここで算出する輝度データＬには、例えば画像の平均輝度、最大・最小輝度、輝度の標準偏差などを用いられるほか、画像データに対するフィルタ処理、膨張・収縮処理、減算処理などの組み合わせて得られる前処理画像を２値化処理した際の白画素の残留面積や個数なども用いることができる。特に後者の手法は、画像データ群Ｉ１・・・Ｉｎの各画像で画像全体の明るさにばらつきが生じるなどの場合に好適である。また、輝度データＬは必ずしも１つである必要はなく、前述した画像処理などで得られるデータを複数用いてもよい。
【００４２】
撮像領域８に欠陥が含まれており、取得した画像データ群Ｉ１・・・Ｉｎのいずれか１つ以上で欠陥が写っている場合、画像データ群Ｉ１・・・Ｉｎで輝度変化は大きくなる。一方、撮像領域８に欠陥が含まれておらず、取得した画像データ群Ｉ１・・・Ｉｎのいずれにも欠陥が写っていない場合、画像データ群Ｉ１・・・Ｉｎで輝度変化は少ない。
【００４３】
これらを判断するための一例として、Ｕ２の輝度特徴量差分処理では撮像領域８を位置関係Ｐ１・・・Ｐｎで撮像し得られた画像データ群Ｉ１・・・Ｉｎのうち注目する画像データＩｋの輝度データＬｋとＬｋを除くそのほかの画像データＩ１・・・Ｉｋ（Ｉｋは除く）の各輝度データＬ１・・・Ｌｋ（Ｌｋは除く）とでそれぞれ大きさの差（絶対値）を求め、Ｌｋに対する差分データＳ１・・・Ｓｎを算出する。Ｕ３の輝度特徴量差分データ判定処理は、Ｕ２で算出した差分データＳ１・・・Ｓｎをあらかじめ定めた第１の閾値ｔｈ１と比較し、ｔｈ１より大きい差分データＳを欠陥候補データとしてカウントする。Ｕ４ではＳ１・・・Ｓｎのうち欠陥候補データと判定された個数Ｇをあらかじめ定めた第２の閾値ｔｈ２と比較して欠陥候補データの個数Ｇがｔｈ２よりも大きい場合に、画像データＩｋに欠陥が含まれていると判定し、シート２における画像データＩｋの撮像領域８に欠陥が存在していると判別する。
【００４４】
画像化された欠陥についてはその形状や面積・濃度などに関する特徴量を画像処理などで算出し、算出した特徴量に関する規格や閾値を定めてシート２の製品品質に影響する欠陥か否かを判定することもできる。その他、例えば製品品質に影響する欠陥が含まれる画像の欠陥部がラベリングした画像や欠陥部が存在しない正常画像を教師とした機械学習等を用いて判別し、シート２の製品品質に影響する欠陥か否かを判定することもできる。
【産業上の利用可能性】
【００４５】
本発明は、シート状物の外観検査に、好適に利用することができる。
【符号の説明】
【００４６】
１  シート欠陥検査装置
２  シート
３  照射装置
４  撮像装置
５  画像処理装置
６（６’、６’’）  可動部
７  搬送装置
８  撮像領域
９  検査エリア
１０  動作経路
１１  回転軸
１２  回転方向
【図１】
2020106295.tif 000003
【図２】
2020106295.tif 000004
【図３】
2020106295.tif 000005
【図４】
2020106295.tif 000006